(57)【要約】【課題】係止爪と係止溝が容易に外れない構成にすることで、本体からキャップが外れるのを防止することができるサンプリングホルダを提供すること。【解決手段】筒状の本体（１１）と、キャップ（１５）とから構成され、前記キャップ（１５）は、内筒（１７）と外筒（１５Ｓ）を有し、前記内筒（１７）に、略管状の部材を挿入して加圧することにより変形して、前記本体（１１）の内壁面に圧接される可動部（Ｍ）を形成したサンプリングホルダ（１０）。【選択図】図１
0003137417.tif 000002
【実用新案登録請求の範囲】
【請求項１】
筒状の本体（１１）と、キャップ（１５）とから構成され、
前記キャップ（１５）は、内筒（１７）と外筒（１５Ｓ）を有し、
前記内筒（１７）に、略管状の部材を挿入して加圧することにより変形して、前記本体（１１）の内壁面に圧接される可動部（Ｍ）を形成したことを特徴とするサンプリングホルダ（１０）。
【請求項２】
一端に開口部（２１）を有する筒状の本体（１１）と、当該本体（１１）の一端にヒンジ（１８）を介して、前記開口部（２１）に着脱できるキャップ（１５）を接続し、
前記キャップ（１５）は、内筒（１７）と外筒（１５Ｓ）を有し、
内筒（１７）の底面に本体（１１）の閉止部（１６）を形成し、
前記内筒（１７）の前記ヒンジ（１８）の反対側の位置に、可動部（Ｍ）を形成し、
当該可動部（Ｍ）は、少なくとも一端部が、キャップ（１５）の鍔部（１５Ｔ）または外筒（１５Ｓ）に固定され、他の端部は溝部（１７ａ）により内筒（１７）から離間し、
略管状の部材を挿入して加圧することにより変形して、前記本体（１１）の内壁面に圧接されることを特徴とするサンプリングホルダ（１０）。
【請求項３】
前記可動部（Ｍ）の厚さは、前記内筒（１７）の厚さと同じ、または内筒部（１７）の厚さよりも肉厚に形成されたことを特徴とする請求項２に記載のサンプリングホルダ（１０）。
【請求項４】
前記可動部（Ｍ）は、保持部（１７）から閉止部（１６）、さらに閉止部（１６）から保持部（１７）にわたって溝（１７ａ）を連続して形成して、この溝（１７ａ）で他の端部を内筒（１７）から離間させていることを特徴とする請求項２または請求項３に記載のサンプリングホルダ（１０）。
【請求項５】
前記キャップ（１５）は、前記外筒（１５Ｓ）の内周縁部に少なくとも１個以上の係止爪（１９ａ）を形成し、
前記本体（１１）は、開口部（２１）の外周縁部に係止溝（１９ｂ）を形成したことを特徴とする請求項２から請求項４のいずれか１の請求項に記載のサンプリングホルダ（１０）。
【考案の詳細な説明】
【技術分野】
【０００１】
本考案は、真空採血管を使う採血の際に使用する、サンプリングホルダの改良に関する。
【背景技術】
【０００２】
従来より、真空採血管を使用した採血では、真空採血管を保持するためにサンプリングホルダが使用されている。具体的には、例えば図７のサンプリングホルダ４０のように採血後、採血針の誤刺防止具である針カバー５０を本体４１のキャップ４５の窪みに嵌合させて廃棄している。
しかしながら、サンプリングホルダ４０のキャップ４５（窪み）に針カバー５０を挿入させると、サンプリングホルダ４０から針カバー５０にかけて全長が長くなることで折れやすくなる。
また本体４１にキャップ４５を、双方をつないでいるヒンジ４８から折り曲げて被せた際、キャップ４５の内側に形成した複数の係止爪４９ａと、本体４１の開口部の外周縁部に形成した係止溝４９ｂが係止することで、本体４１とキャップ４５が固定される。だが、この係止部の内側において、本体４１と針キャップ４５の間に最初から隙間Ｓがあることから、係止溝４９ｂに遊びが生じるために、係止爪４９ａと係止溝４９ｂの係止が外れて、例えば図８のような状態で容易に外れてしまうおそれがあった。
【０００３】
なお、サンプリングホルダの公知特許文献として以下のものが開示されている。
特許文献１には、血液のサンプリングチューブの一端にサンプリング針を装着し、他方の端部に採血管ホルダを装着し、サンプリングチューブの途中に針カバーを装着した血液バッグの構成部品の発明が開示されている。
当該発明の使用方法を例示すると下記の通りである。
（１）サンプリング針を供血者に穿刺し、血液をサンプリングチューブを経て、サンプリング針を経て、試験管に採取する。
（２）上記作業が完了したら、サンプリング針を針カバー内に収納し、当該針カバーを採血管ホルダ内に挿入して、廃棄する。
当該発明では、細径の針カバーを大径の採血管ホルダ内に収納して廃棄することはできるが、細径の針カバーが、採血管ホルダから飛び出して、サンプリング針に付着している血液が作業者にも付着することがあり、衛生的に好ましくない。
【０００４】
特許文献２には、採血管ホルダと針カバーそれぞれに、相互に係合可能な部材（突起、溝等）を形成し、針カバー（先端の）開口端に、採血管ホルダのサンプリング針が入るように、針カバーを採血管ホルダに深く挿入するようにした、採血管ホルダ、針カバー、血液バッグの構成部品並びに血液バッグの発明が開示されている。
当該発明は、特許文献１に記載の発明の欠点は解消されたが、針カバーを採血管ホルダの奥深くまで挿入する形態であるため、奥深くまで挿入する操作に手間どり、操作上の難点があった。
特許文献３には、採血針全体を収納可能であるとともに、当該採血針全体を収納した状態において、採血針基と係合し、採血針の脱落を抑制する係合部を内面に形成した針カバーの発明が開示されている。
針カバー内面に係合部（突起等）を形成するには、採血針基が係合部（突起等）を乗り越えて、係合できるように形成しなければならないので、設計が必ずしも容易ではない。
また当該発明には、採血管ホルダとの係合構造等については何ら記載されていない。
【０００５】
そこで出願人は特許文献１から特許文献３の改良として、特許文献４に、筒状の本体１１とこの本体１１の上部に着脱できるキャップ１５とからなり、キャップ１５の天面に針カバー５０の保持部１７と、底面に本体１１の密封部１６を形成した採血管ホルダ１０の発明を開示した。
特許文献４の発明では、キャップ１５の保持部１７の両側に溝部１７Ａを形成して針カバー５０を挿入しやすいようにしているが、これらの形態では前記［０００２］の課題は解決できない。
【０００６】
【特許文献１】特開平２−１３４１５７号公報（図４から図１０参照）
【特許文献２】特表２００２−５２１１４６号公報（図３から図９参照）
【特許文献３】特開２０００−３４２６８６号公報（図４参照）
【特許文献４】特開２００５−２３０２３２号公報（図１参照）
【考案の開示】
【考案が解決しようとする課題】
【０００７】
本考案が解決しようとする問題点は、採血後に、採血針の針カバー（誤刺防止具）をサンプリングホルダのキャップに挿入させると、ホルダのキャップと針カバーが容易に外れてしまうおそれのある点である。
【課題を解決するための手段】
【０００８】
そこで本考案者は以上の課題を解決するために、鋭意検討を重ねた結果次の考案に到達した。
［１］本考案は、筒状の本体（１１）と、キャップ（１５）とから構成され、
前記キャップ（１５）は、内筒（１７）と外筒（１５Ｓ）を有し、
前記内筒（１７）に、略管状の部材を挿入して加圧することにより変形して、前記本体（１１）の内壁面に圧接される可動部（Ｍ）を形成したサンプリングホルダ（１０）を提供する。
［２］本考案は、一端に開口部（２１）を有する筒状の本体（１１）と、当該本体（１１）の一端にヒンジ（１８）を介して、前記開口部（２１）に着脱できるキャップ（１５）を接続し、
前記キャップ（１５）は、内筒（１７）と外筒（１５Ｓ）を有し、
内筒（１７）の底面に本体（１１）の閉止部（１６）を形成し、
前記内筒（１７）の前記ヒンジ（１８）の反対側の位置に、可動部（Ｍ）を形成し、
当該可動部（Ｍ）は、少なくとも一端部が、キャップ（１５）の鍔部（１５Ｔ）または外筒（１５Ｓ）に固定され、他の端部は溝部（１７ａ）により内筒（１７）から離間し、
略管状の部材を挿入して加圧することにより変形して、前記本体（１１）の内壁面に圧接されるサンプリングホルダ（１０）を提供する。
［３］本考案は、前記可動部（Ｍ）の厚さは、前記内筒（１７）の厚さと同じ、または内筒部（１７）の厚さよりも肉厚に形成された［２］に記載のサンプリングホルダ（１０）を提供する。
［４］本考案は、前記可動部（Ｍ）は、保持部（１７）から閉止部（１６）、さらに閉止部（１６）から保持部（１７）にわたって溝（１７ａ）を連続して形成して、この溝（１７ａ）で他の端部を内筒（１７）から離間させている［２］または［３］に記載のサンプリングホルダ（１０）を提供する。
［５］本考案は、前記キャップ（１５）は、前記外筒（１５Ｓ）の内周縁部に少なくとも１個以上の係止爪（１９ａ）を形成し、
前記本体（１１）は、開口部（２１）の外周縁部に係止溝（１９ｂ）を形成した［２］から［４］のいずれか１項に記載のサンプリングホルダ（１０）を提供する。
【考案の効果】
【０００９】
本考案のサンプリングホルダ１０は、針カバー５０をキャップ１５の内筒１７に挿入すると、針カバー５０の鍔部５４によりキャップ１５の内筒１７に形成した可動部Ｍが本体１１の内壁側へと押圧される。これにより本体１１とキャップ１５の間に、従来のサンプリングホルダ５０の本体５１とキャップ５５の間のような隙間Ｓを生じることはないので、係止爪１９ａと係止溝１９ｂが容易に外れることもなく、したがって本体１１からキャップ１５が外れるのを防止することができる。
【考案を実施するための最良の形態】
【００１０】
図１は、本考案のサンプリングホルダ１０の概略図、図２は本考案のサンプリングホルダ１０の側面図、図３は図２のＡ矢視図、図４は、本考案のサンプリングポート１０に針カバー５０を挿入したときの概略図、図５は本考案のサンプリングホルダ１０に針カバー５０を挿入する前の断面図、図６は本考案のサンプリングホルダ１０に針カバー５０を挿入したときの断面図である。
また、図７は従来のサンプリングホルダ４０に針カバー５０を挿入したときの断面図、図８は従来のサンプリングホルダ４０の係止はずれの状態の一例である。
【００１１】
［サンプリングホルダ１０］
本考案のサンプリングホルダ１０は、図１に例示するように、一端に開口部２１を有する筒状の本体１１と、当該本体１１の一端にヒンジ１８を介して、前記開口部２１に着脱できるキャップ１５を接続している。
キャップ１５は、内筒１７と外筒１５Ｓを有し、これらは図３に例示するようにそれぞれの上部が鍔部１５Ｔを介して接続されている。
内筒１７は、下部が外筒１５Ｓより突出して形成され、底面に本体１１の閉止部１６を形成している。
さらに内筒１７は、ヒンジ１８の反対側の位置に、可動部Ｍを形成している。
可動部Ｍは、少なくとも一端部が、キャップ１５の鍔部１５Ｔまたは外筒１５Ｓに固定され、他の残りの端部は内筒１７から離間している。内筒１７に略管状の部材を挿入して加圧することにより変形して、本体１１の内壁面に圧接される。
さらに詳述すれば、可動部Ｍは、保持部１７から閉止部１６、さらに閉止部１６から保持部１７にわたって溝１７ａを連続して形成して、この溝１７ａで他の端部を内筒１７から離間させている。
また、閉止部１６は、キャップ１５に針カバー５０を挿入したときに、押し込み過ぎないためのストッパの役目も果たす。開口部２１の外周には、鍔部１４が形成されており、鍔部１４により採血時等の操作性をよくする。
なお、本考案での「挿入」とは、嵌合、嵌入、圧入、挿着、装着などの意味を含む。
【００１２】
［可動部Ｍ］
図１に例示するように、可動部Ｍは、内筒１７のヒンジ１８の反対側の位置に形成している。
可動部Ｍは、少なくとも一端部が、キャップ１５の鍔部１５Ｔまたは外筒１５Ｓに固定され、他の残りの端部は内筒１７から離間している。内筒１７に略管状の部材を挿入して加圧することにより変形して、本体１１の内壁面に圧接される。
可動部Ｍは、少なくとも一端部を、キャップ１５の鍔部１５Ｔまたは外筒１５Ｓに固定し、閉止部１６から保持部１７にわたって溝１７ａを連続して形成して、この溝１７ａで他の端部を内筒１７から離間させている。
さらに詳述すれば、例えば図１では、可動部Ｍは略矩形状に形成され、内筒１７の上辺のみが鍔部１５Ｔまたは外筒１５Ｓに固設されており、他の三辺は略コ形状の溝１７ａにより内筒１７と離間している。これにより、可動部Ｍは、内筒１７に略管状の部材を挿入して加圧することにより変形して、本体１１の内壁面に圧接される。
なお、上述の可動部Ｍの形状、形成する個数等は本考案の一例であり、同様の機能を有するものであれば、これらに限定されず、可動部Ｍは前記と同様の方法で複数個設置することも可能である。
さらに、可動部Ｍの厚さは、図５に示すように内筒１７と同じか、もしくは内筒１７よりも肉厚に形成されている。特に、可動部Ｍを肉厚に形成することにより、キャップ１５に針カバー５０を挿入した際に、針カバー５０の鍔部５４によって可動部Ｍを外側へ強く押圧されることになり、図６のように、外側に押し広げられるように本体１１（開口部２１）の内周壁に圧接され、針カバー５０はキャップ１５とともに固定される。
【００１３】
［係止爪１９ａ、係止溝１９ｂ］
本体１１とキャップ１５の固定手段として、例えば図１、図３などのように、キャップ１５の外筒１５Ｔの内周縁部には複数個（図では５個）の係止爪１９ａを形成し、本体１１の開口部１２の外周縁部には、前記係止爪１９ａを係止することのできる係止溝１９ｂ（図では、連続した環状の溝）を形成している。
ヒンジ１８を折り曲げて本体１１にキャップ１５を被冠したときに、係止爪１９ａと係合溝１９ｂを係止させることで、本体１１とキャップ１５は固定される。
なお、係止爪１９ａと係合溝１９ｂの形状、個数等は、これらに限定されることはなく、本体１１にキャップ１５が被冠されて固定できるものであればよい。例えば、係止爪１９ａはヒンジ１８の反対側に位置する一端部に１個のみ形成してもよいが、図１や図３に示すように係止部１９ａを複数個形成した方が、本体１１とキャップ１５がより安定して固定されるので好ましい。
【００１４】
［サンプリングホルダ１０の使用例］
（１）採血時に、検査用の血液をサンプリングホルダ１０から採取した後、サンプリングホルダ１０の本体１１にキャップ１５を被冠する。
（２）採血終了時に、供血者から外した採血針（図示せず）を針カバー５０内に収納した後、図５に示すように針カバー５０先端の鍔部５４をサンプリングホルダ１０の保持部１７に挿入する。
（３）図６のように、保持部１７に針カバー５０の鍔部５４を閉止部１６に押し込んで当接させると、鍔部５４により可動部Ｍが押圧されて、可動部Ｍと鍔部１５（または外筒１５Ｓ）の固定部を支点として変形し、外側に押し広げられ、本体１１の内周壁に圧接される。
可動部Ｍが内周壁に外側に押し広げられて圧接することで、係止溝１９ｂは係止爪１９ａとより強く固定される。これにより、本体４１の内周壁とキャップ４５の間に隙間Ｓが形成される従来のサンプリングホルダ４０と比べて、本考案のサンプリングホルダ１０は本体１１の内周壁とキャップ１５の間に隙間は形成されることはない。したがって係合溝１９ｂに遊びが生じることがなく、係止爪１９ａと係止溝１９ｂは強固に係止され、容易に外れることもなくなる。
【図面の簡単な説明】
【００１５】
【図１】本考案のサンプリングホルダ１０の概略図
【図２】本考案のサンプリングホルダ１０の側面図
【図３】図２のＡ矢視図
【図４】本考案のサンプリングポート１０に針カバー５０を挿入したときの概略図
【図５】本考案のサンプリングホルダ１０に針カバー５０を挿入する前の断面図
【図６】本考案のサンプリングホルダ１０に針カバー５０を挿入したときの断面図
【図７】従来のサンプリングホルダ４０に針カバー５０を挿入したときの断面図
【図８】従来のサンプリングホルダ４０の係合はずれの状態の一例
【符号の説明】
【００１６】
１０、４０  サンプリングホルダ
１１、４１  本体
１３  （チューブの）接続部
１４  鍔部
１５、４５  キャップ
１５Ｓ  （キャップの）外筒
１５Ｔ  （キャップの）鍔部
１６  （サンプリングホルダの）閉止部
１７  （キャップの）内筒
１７ａ  溝
１８、４８  ヒンジ部
１９ａ、４９ａ  係止爪
１９ｂ、４９ｂ  係止溝
２１  開口部
５０  針カバー
５１  （針カバーの）本体
５４  （針カバーの）鍔部
Ｍ  可動部
Ｓ  隙間
【図１】
0003137417.tif 000003
【図２】
0003137417.tif 000004
【図３】
0003137417.tif 000005
【図４】
0003137417.tif 000006
【図５】
0003137417.tif 000007
【図６】
0003137417.tif 000008
【図７】
0003137417.tif 000009
【図８】
0003137417.tif 000010